(57)【要約】【課題】  薄くて軽量でありかつ省電力であるシート状の電子ペーパーに対して音楽情報を適宜に切り替えながら適切に表示する。【解決手段】  電子ペーパーと、楽曲の再生に同期して該再生中の楽曲に該当す音楽情報に表示を切り替えるよう前記電子ペーパーを制御する制御手段とを具える。電子ペーパーに音楽情報を表示する際には、表示切り替えタイミングまでには再生中の楽曲に該当す音楽情報に表示切り替えが完了しているように、電子ペーパーの表示切り替えに係る応答時間を考慮して表示切り替えタイミングよりも所定時間前に、表示切り替えのための動作を開始するように指示する。このようにして、楽曲の再生に同期して自動更新される音楽情報を電子ペーパーに表示することから、消費電力を小さくすることができるとともに、目にやさしく見やすい表示を提供することができる。また、曲再生に遅れることなく該当する音楽情報を適切に表示することができるようになる。【選択図】        図５
2006053228.tif 000002
【特許請求の範囲】
【請求項１】
電子ペーパーと、
楽曲の再生に同期して、該再生中の楽曲に該当する音楽情報に表示を切り替えるよう前記電子ペーパーを制御する制御手段と
を具えた音楽情報表示装置。
【請求項２】
電子ペーパーを利用して音楽情報を表示する音楽情報表示装置であって、
音楽情報を取得する取得手段と、
前記電子ペーパーに応じて所定時間を決定する決定手段と、
楽曲の再生に従い、該再生中の楽曲に該当する音楽情報に表示の切り替えを完了している表示切り替えタイミングよりも前記決定した所定時間前に達したことを検知する検知手段と、
前記検知手段による検知に応じて表示切り替え動作を開始するように前記電子ペーパーに対して指示する指示手段と
を具えた音楽情報表示装置。
【請求項３】
前記所定時間とは、少なくとも前記電子ペーパーにおける表示切り替えに係る応答時間以上であることを特徴とする請求項２に記載の音楽情報表示装置。
【請求項４】
コンピュータに、
音楽情報を取得する手順と、
接続されている電子ペーパーに応じて所定時間を決定する手順と、
楽曲の再生に従い、該再生中の楽曲に該当する音楽情報に表示の切り替えを完了している表示切り替えタイミングよりも前記決定した所定時間前に達したことを検知する手順と、
前記検知に応じて表示切り替え動作を開始するように前記電子ペーパーに対して指示する手順と
を実行させるためのプログラム。
【発明の詳細な説明】
【技術分野】
【０００１】
この発明は、表示器に対して所定の音楽情報を表示する音楽情報表示装置及びプログラムに関する。特に、薄くて軽量でありかつ省電力であるシート状の電子ペーパーを用い、該電子ペーパーに音楽情報を適宜に切り替えながら適切に表示する音楽情報表示装置及びプログラムに関する。
【背景技術】
【０００２】
従来から、電子楽器等の電子音楽装置において、取得した演奏情報又は楽譜表示情報あるいは歌詞表示情報などに従って楽譜や歌詞などの音楽情報を所定の表示器に表示するものが知られている。こうした電子音楽装置の１例としては、例えば下記に示す特許文献１に記載の装置がある。この特許文献１に開示されているような従来の電子音楽装置では表示器として液晶表示器（ＬＣＤ）やＣＲＴディスプレイなどを用いており、こうした表示器に対して例えば楽曲の再生等にあわせて該当する範囲の音楽情報を適宜に切り替えながら表示すること（表示の自動更新）が行われている。
【特許文献１】特開2002-258838号公報
【０００３】
ところで、上記特許文献１に記載の電子音楽装置などのように、従来の電子音楽装置において音楽情報を表示するために液晶表示器（ＬＣＤ）やＣＲＴディスプレイなどの表示器を用いた場合には、画面上に音楽情報を表示する際に当該表示器自体を発光させなければならないこと、画面上に表示している音楽情報の表示を保持しておくために表示器に対して常時電力を供給しておかなければならないこと、などから消費電力が非常に大きい、という不都合があった。また、表示器自体が発光していることからユーザにとっては非常に目が疲れ易く、通常の紙などに印刷された楽譜や歌詞などの音楽情報に比べて長い時間見つづけるには不向きである、という不都合もあった。
【発明の開示】
【発明が解決しようとする課題】
【０００４】
本発明は上述の点に鑑みてなされたもので、音楽情報を表示するための表示器として電子ペーパーを用い、消費電力を小さく抑えると共にユーザにとって目にやさしく見やすい表示を行うことのできるようにした音楽情報表示装置及びプログラムを提供することを目的とする。
【課題を解決するための手段】
【０００５】
本発明の請求項１に係る音楽情報表示装置は、電子ペーパーと、楽曲の再生に同期して、該再生中の楽曲に該当する音楽情報に表示を切り替えるよう前記電子ペーパーを制御する制御手段とを具える。
【０００６】
本発明の請求項２に係る音楽情報表示装置は、電子ペーパーを利用して音楽情報を表示する音楽情報表示装置であって、音楽情報を取得する取得手段と、前記電子ペーパーに応じて所定時間を決定する決定手段と、楽曲の再生に従い、該再生中の楽曲に該当する音楽情報に表示の切り替えを完了している表示切り替えタイミングよりも前記決定した所定時間前に達したことを検知する検知手段と、前記検知手段による検知に応じて表示切り替え動作を開始するように前記電子ペーパーに対して指示する指示手段とを具える。
【０００７】
この発明によると、電子ペーパーと、楽曲の再生に同期して該再生中の楽曲に該当する音楽情報に表示を切り替えるよう前記電子ペーパーを制御する制御手段とを具えることから、電子ペーパーに対して音楽情報を表示することができるようになる。すなわち、楽曲の再生に同期して自動更新される音楽情報を電子ペーパーに表示することによって、消費電力を小さくすることができるとともに、目にやさしく見やすい表示を提供することができる。また、電子ペーパーに音楽情報を表示する際には、該電子ペーパーに応じた所定時間を決定する。そして、楽曲の再生に従って、該再生中の楽曲に該当する音楽情報に表示の切り替えを完了している表示切り替えタイミングよりも前記決定した所定時間前に達したことを検知して、前記検知に応じて表示切り替えのための動作を開始するよう前記電子ペーパーに対して指示する。すなわち、電子ペーパーを用いる場合においても、表示切り替えタイミングまでには再生中の楽曲に該当する音楽情報への表示切り替えが完了しているように、電子ペーパーにおける表示切り替えに係る応答時間を考慮して表示切り替えタイミングよりも前に、表示切り替えのための動作を開始するように指示する。これにより、曲再生に遅れることなく再生位置に対応した該当する音楽情報を適切に表示することができるようになる。
【０００８】
本発明は装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【０００９】
この発明によれば、音楽情報を表示する表示器として電子ペーパーを用いるようにしたことから、消費電力を小さく抑えると共にユーザにとって目にやさしく見やすい表示で音楽情報を表示することができるようになる、という効果を奏する。
また、少なくとも電子ペーパーの表示切り替えに係る応答時間を考慮して表示切り替えのための動作を開始するようにしたことから、表示切り替えタイミングには該当する音楽情報への切り替えが完了済みである適切な表示を行うことができる、という効果を奏する。
【発明を実施するための最良の形態】
【００１０】
以下、この発明の実施の形態を添付図面に従って詳細に説明する。
【００１１】
図１は、この発明に係る音楽情報表示装置を適用した電子音楽装置の全体構成の一実施例を示したハード構成ブロック図である。本実施例に示す電子音楽装置（例えば電子楽器やパーソナルコンピュータ等）は、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この電子音楽装置全体の動作を制御するものである。このＣＰＵ１に対して、データ及びアドレスバス１Ｄを介してＲＯＭ２、ＲＡＭ３、検出回路４、駆動回路５、電子ペーパー駆動回路６、音源回路７、効果回路８、外部記憶装置１０、MIDIインタフェース（Ｉ／Ｆ）１１および通信インタフェース（Ｉ／Ｆ）１２がそれぞれ接続されている。更に、ＣＰＵ１には、タイマ割込み処理（インタラプト処理）における割込み時間や各種時間を計時するタイマ１Ａが接続されている。例えば、タイマ１Ａはクロックパルスを発生し、発生したクロックパルスをＣＰＵ１に対して処理タイミング命令として与えたり、あるいはＣＰＵ１に対してインタラプト命令として与える。ＣＰＵ１は、これらの命令に従って各種処理を実行する。
【００１２】
ＲＯＭ２は、ＣＰＵ１により実行される各種プログラムや各種データを格納するものである。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。演奏操作子／設定操作子４Ａは、例えば楽音の音高を選択するための複数の鍵を備えた例えば鍵盤等のようなユーザによる手弾き演奏のための操作子、電子ペーパー６Ａに表示する対象の楽譜や歌詞などを選択したり、あるいは楽曲再生の際に用いられる各種パラメータを設定するための操作子などである。検出回路４は演奏操作子の各鍵の押圧及び離鍵を検出して検出出力を生じたり、設定操作子の操作状態を検出して操作状態に応じたスイッチ情報をデータ及びアドレスバス１Ｄを介してＣＰＵ１に出力する。勿論、演奏操作子としては鍵盤楽器の形態に限らず、弦楽器や管楽器、あるいは打楽器等どのようなタイプの形態でもよい。
【００１３】
ＬＣＤ表示器５Ａは例えば液晶表示パネル等から構成されるディスプレイであって、駆動回路５による制御に従い楽譜や歌詞などを表示可能な楽曲の一覧を表示したり、上記設定操作子４Ａにより設定された情報を表示したり、あるいはＣＰＵ１の制御状態などを表示したりすることができる。前記ＬＣＤ表示器５Ａは従来知られた電子楽器等に広く用いられている表示器であり、従来においては楽譜や歌詞なども当該ＬＣＤ表示器５Ａに対して表示するようにしていた。このＬＣＤ表示器５Ａは表示切り替えの際に係る応答速度が速い点においては電子ペーパー６Ａに比べて有利であるが、画面上に情報を表示する際に当該表示器自体を発光させなければならないこと、画面上に表示している音楽情報の表示を保持しておくために表示器に対して常時電力を供給しておかなければならないこと、などから電子ペーパー６Ａに比べると消費電力が非常に大きい。また、表示器自体が発光していることからユーザにとっては非常に目が疲れ易く、通常の紙などに印刷された音楽情報に比べて長い時間見つづけるには不向きである、さらには画面の大きなものはコストが高い、などの点で電子ペーパー６Ａに比べて不利である。そこで、この電子音楽装置ではＬＣＤ表示器５Ａとは別に、表示器として電子ペーパー６Ａを着脱可能に装着することができ、電子ペーパー駆動回路６の制御に従って装着された電子ペーパー６Ａに対して楽譜や歌詞などを表示することができるようにしている。
【００１４】
ここで、電子音楽装置に装着可能である電子ペーパー６Ａについて、図２を用いて説明する。電子ペーパー６Ａには種々の方式のものが公知であるが、ここでは一例としてマイクロカプセル型電気泳動方式の電子ペーパーを例にして説明する。図２は、マイクロカプセル型電気泳動方式の電子ペーパーの構造を示す概要図である。
【００１５】
図２に示すように、マイクロカプセル型電気泳動方式の電子ペーパー６Ａは、互いに重ね合わせたフィルム等からなる透明電極ＡとＴＦＴ基盤等からなる背面電極Ｂとの間に、所謂電子インクと呼ばれる透明なマイクロカプセルＣを多数配置したものである（ただし、ここでは図示の都合上、便宜的に２つのみ示している）。この透明なマイクロカプセルＣ内には黒色微粒子Ｄと白色微粒子Ｅとが封入されており、電圧（電荷）を印加することにより前記黒色微粒子Ｄと白色微粒子Ｅを電気泳動させて白黒をスイッチング表示することができ、これにより任意の画像を透明電極Ａ上に表示することができるようになっている。具体的には黒色微粒子Ｄとして負に帯電したカーボンブラック粒子を、白色微粒子Ｅとして正に帯電した酸化チタン粒子を封入したマイクロカプセルＣに対して、透明電極Ａ及び背面電極Ｂのそれぞれに表示したい画像に応じた正負の電荷を加えることによって、白色微粒子Ｅは負電荷側に、黒色微粒子Ｄは正電荷側に集められる。こうして、画面表面となる透明電極Ａ側に楽譜や歌詞などを白及び黒を用いた画像として表示することができる。
【００１６】
このような構造をした電子ペーパー６Ａは、以下に示すような利点がある。コントラストが高く、画面全体を発光せずとも外部の光源から発せられた光により表示された画像を見る反射型であるために、目にやさしく見やすい。薄く軽量であり適宜に曲げることができることから、持ち運びしやすい。また、構造が簡単であることから、画面サイズを大きくするにも低コストで済む。さらには、外部から常時電力を与え続けなくても表示した状態をそのまま保持することから、消費電力を抑え省電力である。これらの利点をもつ電子ペーパー６Ａに音楽情報を表示した場合には、上記した利点の他にも、紙に印刷された楽譜や歌詞などと一見すると似ていることから、紙の代わりとしてユーザに何らの違和感もいだかせることなく用いることができる。そこで、図１に示す電子音楽装置においては、ＬＣＤ表示器５Ａとは別の表示器として電子ペーパー６Ａを具備しておき、ＬＣＤ表示器５Ａに対しては設定情報などを表示させ、電子ペーパー６Ａに対しては楽譜や歌詞などの音楽情報を表示させるように、表示する内容によって前記２つの表示器をそれぞれ使い分けて表示させるようにしている。
【００１７】
なお、電子ペーパー６Ａとしてマイクロカプセル型電気泳動方式のものを例として示したがこれに限らず、公知である他の方式による電子ペーパー６Ａであってもよい。例えば、ツイスティングボール方式、水平移動型電気泳動方式、電解析出・溶解式など、種々のどのような方式の電子ペーパー６Ａを採用してもよい。ただし、そうした場合には、各方式に応じて電子ペーパー６Ａの駆動方法は異なることから、採用した電子ペーパー６Ａの方式に応じた駆動方法で駆動するようにすればよい。
【００１８】
図１の説明に戻って、音源回路７は複数のチャンネルで楽音信号の同時発生が可能であり、データ及びアドレスバス１Ｄを経由して与えられる、ユーザによる演奏操作子４Ａの操作に応じて発生された、あるいは予め記憶している又は外部から取得した各種演奏情報（自動演奏データ等）を入力し、これらの演奏情報に基づいて楽音信号を発生する。また、音源回路７では発生させる楽音信号を各種パラメータに基づいて制御し、該発生させた楽音信号を効果回路８を介してアンプやスピーカなどを含むサウンドシステム９から発音する。効果回路８は、音源回路７からの楽音信号に効果を付与する。こうした音源回路７、効果回路８、サウンドシステム９の構成には、従来のいかなる構成を用いてもよい。例えば、音源回路７はＦＭ、ＰＣＭ、物理モデル、フォルマント合成等の各種楽音合成方式のいずれを採用してもよく、また専用のハードウェアで構成してもよいし、ＣＰＵ１やＤＳＰ（図示せず）等によるソフトウェア処理で構成してもよい。
【００１９】
外部記憶装置１０は、楽曲再生のための演奏情報又は楽譜や歌詞を表示するための楽譜表示情報や歌詞表示情報などの各種データ、あるいはＣＰＵ１が実行する各種制御プログラム（例えば、後述する「初期設定処理」、「曲再生処理」、「電子ペーパー駆動処理」など）や制御に関するデータなどを記憶するものである。なお、上述したＲＯＭ２に制御プログラムが記憶されていない場合、この外部記憶装置１０（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、外部記憶装置１０はハードディスク（HD）に限られず、フレキシブルディスク（FD）、コンパクトディスク（CD‐ROM・CD‐RAM）、光磁気ディスク（MO）、あるいはDVD（Digital Versatile Disk）等の着脱自在な様々な形態の外部記憶媒体を利用する記憶装置であればどのようなものであってもよい。あるいは、フラッシュメモリなどの半導体メモリであってもよい。
【００２０】
MIDIインタフェース（Ｉ／Ｆ）１１は、外部接続された他のMIDI機器１１Ａ等からMIDI形式の演奏情報（MIDIデータ）を当該電子音楽装置へ入力したり、あるいは当該電子音楽装置からMIDI形式の演奏情報（MIDIデータ）を他のMIDI機器１１Ａ等へ出力するためのインタフェースである。通信インタフェース（Ｉ／Ｆ）１２は例えばLAN等の有線あるいは無線の通信ネットワークＸに接続されており、該通信ネットワークＸを介して外部のサーバーコンピュータ１２Ａと接続されることによって、該サーバ１２Ａから各種データを受信することができる。こうした通信インタフェース１２は、有線あるいは無線のものいずれかでなく双方を具えていてよい。
【００２１】
なお、電子音楽装置は、演奏操作子／設定操作子４Ａ、ＬＣＤ表示器５Ａ、電子ペーパー６Ａ、音源回路７などを１つの装置本体に内蔵したものに限らず、それぞれが別々に構成され、MIDIインタフェースや各種ネットワーク等の通信手段を用いて各装置を接続するように構成されたものであってもよい。また、本発明に係る音楽情報表示装置を適用する装置は電子楽器やパーソナルコンピュータ等の形態に限らず、携帯電話等の携帯型通信端末、あるいはカラオケ装置やゲーム装置など、どのような形態の装置・機器に適用してもよい。
【００２２】
上述したように、電子ペーパー６Ａは携帯性に優れ且つ省電力であることから、例えば電源を内蔵した持ち運び可能なモバイル型の電子音楽装置等に用いるのに最適である。また、電子ペーパー６Ａは反射型の表示器であり且つ画面の大型化も低コストで簡単にできることから、ユーザに対して目にやさしく見やすい表示を容易に提供することができる。このような利点をもつ電子ペーパー６Ａではあるが、新たな表示の駆動を開始してから当該表示を完了するまでに係る応答速度（応答時間）がＬＣＤ表示器５Ａなどと比べると非常に遅いことから、表示を切り替えるのにＬＣＤ表示器５Ａよりも時間がかかる（数十〜百数十ｍｓ（ミリ秒）程度）。そこで、こうした電子ペーパー６Ａを楽曲の再生等にあわせて音楽情報を自動更新しながら表示する表示器として用いる場合には、該当する箇所の楽曲再生前に対応する音楽情報に表示の切り替えを完了していなければならない所謂「表示切り替えタイミング」よりも前に、前記応答速度（応答時間）を考慮して表示切り替えのための駆動を開始するよう駆動開始タイミングを調整することが必要となる。こうした電子ペーパー６Ａの駆動開始タイミングの調整について、図３を用いて説明する。図３は、駆動開始タイミングと表示切り替えタイミングとの時間関係を示すタイミングチャートである。この図３では上段に楽曲進行に合わせて該当する表示に切り替えを完了しているべき「表示切り替えタイミング」を示し、下段に「表示切り替えタイミング」に応じた電子ペーパー６Ａにおける表示切り替えの駆動開始タイミングを示している。
【００２３】
電子ペーパー６Ａに表示する楽譜や歌詞を記憶した楽譜表示データや歌詞表示データ(音楽情報表示データ)は複数ページ分用意されており、これらの各データに従い再生中の楽曲進行に応じて、ページ単位に楽譜表示あるいは歌詞表示を切り替えながら該当ページを表示する。例えば１ページに表示する範囲が１６小節分であるような場合、図３上段に示した「表示切り替えタイミング」はそれぞれ１７小節目、３３小節目、・・・の先頭の曲を再生する先頭タイミングとなる。したがって、電子ペーパー６Ａでは図３上段の最初の「表示切り替えタイミング」には既に１７〜３２小節までの楽譜（又は歌詞）が表示済みでなければならないし、２番目の「表示切り替えタイミング」には既に３３〜３８小節までの楽譜（又は歌詞）が表示済みでなければならない。
【００２４】
電子ペーパー６Ａは応答速度（応答時間）が遅く表示を切り替えるのに時間がかかるために、上記のように曲進行に合わせて例えば楽譜表示をページ単位で切り替えるような場合には、電子ペーパー６Ａの応答速度（応答時間）を考慮した上で駆動開始タイミングを決定しないと「表示切り替えタイミング」よりも表示の切り替え完了が遅れることが生じてしまい、曲再生に合わせた楽譜や歌詞等の表示ができずに都合が悪い。図示のように、例えば電子ペーパー６Ａにおいて表示の書き換えに１５０ｍｓ（応答速度）かかるとすると、電子ペーパー６Ａの透明電極及び背面電極（図２参照）への電圧印加は少なくとも「表示切り替えタイミング」の１５０ｍｓ前から開始する必要がある。これにより、１５０ｍｓ後の「表示切り替えタイミング」時には、ページ単位での表示切り替えが完了していることとなる。なお、表示の切り替え完了が「表示切り替えタイミング」よりも後になるよりは多少早めのほうがよいことから、１５０ｍｓよりも少し前に表示切り替えのための駆動開始を指示するように駆動開始タイミングを調整するようにしてもよい。特に、ユーザによってどのタイミングで表示が切り替わるのがよいか好みが違うので、表示切り替えの完了タイミングが「表示切り替えタイミングジャスト〜少し前」の間となるようにユーザが適宜に設定することのできるようにするとよく、こうした設定タイミングの１５０ｍｓ前に表示切り替えのための駆動開始を指示するように駆動開始タイミングを調整すればよい。
【００２５】
なお、楽譜表示や歌詞表示などの表示切り替えはページ単位に限らず、１文字単位などの所定範囲毎にワイプしながら切り替えるような表示を行うものであってもよい。すなわち、電子ペーパー６Ａにおいて、例えば全ての素子（マイクロカプセルＣ）を同一時間に駆動した場合にはページ単位に表示が切り替えられるし、所定の範囲にある素子（マイクロカプセルＣ）のみを同一時間に駆動した場合には１文字単位等の所定範囲のみをワイプしながら表示が切り替えられる。また、曲再生にあわせて再生中の曲位置を表わすためのポインタの表示切り替えであってもよい。
なお、楽曲の再生テンポを変えたとしても、上記駆動開始タイミングは不変とする。
なお、楽譜表示データは自動演奏データを解析して楽譜表示データを生成してもよいし、自動演奏データに対応した論理楽譜データや楽譜画像データを予め記憶しておいてもよい。また、歌詞表示データについても同様に、自動演奏データから生成してもよいし、表示用データを予め記憶していてもよい。
【００２６】
従来、電子音楽装置において楽譜などを表示する表示器として用いていたＬＣＤ表示器５Ａは電子ペーパー６Ａに比べて応答速度（応答時間）が非常に速いことから、特にこうした応答速度（応答時間）を考慮せずとも「表示切り替えタイミング」に表示切り替えのための駆動を開始してもユーザが認識できるほど遅れて表示されることがないために問題はなかった。しかし、電子ペーパー６Ａを用いる場合には、その表示切り替えに係る応答速度（応答時間）の遅さを考慮することなく従来通りに「表示切り替えタイミング」に表示切り替えのための駆動を開始してしまうと表示の切り替え完了が曲再生に遅れ、ユーザが明らかに認識できるほどおくれて表示されるという問題が生じる。そこで、電子ペーパー６Ａに音楽情報を自動更新しながら表示する場合には、「表示切り替えタイミング」から前記応答速度を考慮して設定された所定時間前に達したことを検出し、これを駆動開始タイミングとして表示切り替えのための駆動を開始する。これにより、再生中の曲位置から遅れたりずれたりすることなく、楽譜や歌詞（あるいはポインタ等）を表示することができるようにしている。こうした曲再生にあわせて該当する音楽情報に表示を切り替える自動更新処理についての詳細な説明は、後述する（図５参照）。
【００２７】
まず、電子音楽装置本体への電子ペーパー６Ａの装着に伴って実行される「初期設定処理」について、図４を用いて説明する。図４は、「初期設定処理」の一実施例を示すフローチャートである。まず、ステップＳ１では、装着された電子ペーパー６Ａから当該電子ペーパーの種類情報を取得する。ステップＳ２では、該取得した種類情報に応じて所定時間を設定する。電子ペーパー６Ａには製造メーカや機種等が異なる電子ペーパー６Ａ毎に異なる種類情報が付されており、それぞれの種類毎に表示切り替えに係る応答速度は異なる。そのため、電子音楽装置において電子ペーパー６Ａを表示器として用いる場合には、装着された電子ペーパー６Ａの製造メーカや機種等にあわせて上記した駆動開始タイミングを調整する必要がある。そこで、装着された電子ペーパー６Ａの種類情報に基づき、応答速度に応じて所定時間を設定しておく。ここで設定した所定時間が駆動開始タイミングとなる。なお、ユーザが所定時間を適宜に設定できるようにしてもよい。ただし、その場合には取得した電子ペーパー６Ａの応答速度よりも長い時間を設定しておく必要があることは言うまでもない。
【００２８】
次に、曲再生にあわせて表示を切り替える自動更新処理について、図５を用いて説明する。図５は、曲再生にあわせて表示を切り替える自動更新処理の一実施例を示すフローチャートである。ここで、曲再生にあわせて表示を切り替える自動更新処理は「曲再生処理」と「電子ペーパー駆動処理」の並行して実行される２つの処理により実現される処理であるが、ここでは説明を理解し易くするために１つの図に上記２つの処理を図示し、それぞれの処理に従って順を追って説明する。これらの各処理は図１に示したＣＰＵ１において実行される処理であり、電源オン時に開始されて電源オフ時に終了される。
【００２９】
まず、「曲再生処理」において、ステップＳ１１では先頭ページの音楽情報表示データを読み出し（又は生成し）、もう一方の処理である「電子ペーパー駆動処理」に対して先頭ページを表示するように指示する。「電子ペーパー駆動処理」では「曲再生処理」から前記表示指示を受信すると、電子ペーパー駆動回路６に対して先頭ページの音楽情報表示データを供給し、電圧印加開始の指示を行う（ステップＳ２１）。そして、上述の「初期設定処理」（図４参照）で設定された所定時間経過後には、電圧印加停止の指示を行う（ステップＳ２２）。これにより、上記ステップＳ１１で行われた表示指示にあわせて、透明電極Ａ及び背面電極Ｂ（図２参照）に電圧が印加されて、電子ペーパー６Ａ上に先頭ページの音楽情報が初期表示される。この初期表示された状態のまま、「曲再生処理」では曲再生が開始されるまで当該処理を待機させておく（ステップＳ１２のＮＯ）。曲再生の開始指示が行われたと判定した場合には（ステップＳ１２のＹＥＳ）、曲再生を開始した時間からの経過時間（曲再生時間）が「表示切り替えタイミング」の所定時間前に達したか否かを判定する（ステップＳ１３）。「表示切り替えタイミング」の所定時間前に達したと判定した場合には（ステップＳ１３のＹＥＳ）、切り替え後の該当ページの音楽情報表示データを読み出して（又は生成して）、「電子ペーパー駆動処理」に対して該当ページを表示するように指示する（ステップＳ１４）。「電子ペーパー駆動処理」では、前記表示指示に従い上記したステップＳ２１及びステップＳ２２の処理を再度実行することから、これにより該当ページに切り替え後の音楽情報が電子ペーパー６Ａに表示される。
【００３０】
一方、「表示切り替えタイミング」の所定時間前に達していないと判定した場合には（ステップＳ１３のＮＯ）、曲データ（自動演奏データ）の再生を続ける（ステップＳ１５）。ステップＳ１６では、曲エンドであるか否か、つまり再生中の曲が終了したか否かを判定する。曲が終了している場合には（ステップＳ１６のＹＥＳ）、当該処理を終了する。曲が終了していない場合には（ステップＳ１６のＮＯ）、ステップＳ１３の処理に戻って、上記ステップＳ１３〜ステップＳ１６までの処理を繰り返し実行する。
【００３１】
以上のようにして、電子ペーパー６Ａの応答速度の遅さを考慮し、楽譜表示や歌詞表示時に曲進行よりも若干(数十〜数百ms)先に表示切り替えのための駆動を開始する。すなわち、複数ページにわたる音楽情報表示データを記憶し、電子ペーパー６Ａに該音楽情報をページ単位で表示する際に、曲の進行にしたがって「表示切り替えタイミング」の所定時間(表示切り替えに要する時間以上)前に達したことを検出し、この時点でページ切り替えのための駆動を開始する。電子ペーパー６Ａを音楽情報を表示するための表示器として採用すると、消費電力を小さくすることができるとともに、目に優しく見やすい表示器を提供することができる。そして、電子ペーパー６Ａを表示器として採用したことに伴い生ずる電子ペーパー６Ａの応答速度の遅さに起因する表示の遅れに関しては、電子ペーパー６Ａの応答速度の遅さを考慮して駆動開始タイミングを調整することによって、曲再生に遅れることなく該当の音楽情報を表示するようにした。つまり、電子ペーパー６Ａの欠点として表示の切り替えが遅いという点があるが、「表示切り替えタイミング」の所定時間前に達した時点でページ切り替えのための駆動を開始するようにしたことから、「表示切り替えタイミング」においては表示切替を完了させておくことができるようにしている。
また、表示切り替え完了から次の「表示切り替えタイミング」の所定時間前までについては電子ペーパー駆動回路６に対して電力をカットして供給しないようにしている。すなわち、ページ切り替え完了後、前記所定時間前に達するまでの間は電子ペーパー６Ａの駆動を停止する。これにより、もともと消費電力が小さい電子ペーパー６Ａにおいて、更に電力の消費を抑えるようにしている。
【００３２】
なお、電子ペーパー６Ａは専用或いはＵＳＢ等の汎用インターフェースを介して電子音楽装置本体に着脱可能に設置されることに限らず、電子音楽装置上に固定的に設置されていてもよい。あるいは電子音楽装置本体とは物理的に切り離されており、電子音楽装置側から無線により表示の切り替え指示を行うことができるようになっていてもよい。固定的に設置される場合は譜面立部に電子ペーパー６Ａを設置するのが好ましく、着脱可能な場合は譜面立部に載置可能な形状(例えば紙楽譜と同様の大きさ、厚さ)とするのが好ましい。また、着脱可能とした場合、電子ペーパー駆動回路６は電子音楽装置本体側に固定され、電子ペーパー６Ａのみを着脱可能としてもよいし、電子ペーパー駆動回路６ごと着脱可能としてもよい。さらに、着脱可能とした場合には、複数種類の方式の電子ペーパー６Ａを接続できるようにしてもよく、その場合、接続された電子ペーパー６Ａの方式に応じて書き換え時の応答速度が異なるため、「所定時間」を方式に応じて可変にするのが好ましく、その時間はユーザが設定してもよいし、電子ペーパー６Ａの方式を検出して自動設定してもよい。
なお、予め固定的に電子ペーパー６Ａが設置されている場合には上記「初期設定処理」を実行することなく、対応する所定時間を予め記憶しておくようにしておいてもよい。また、応答時間よりも長い時間を所定時間としてユーザが適宜に設定することができるようにしてあってもよい。
【００３３】
なお、上述した実施例のように、電子ペーパー６Ａではない表示器（ＬＣＤ表示器５Ａ等）も同時に具備する場合、該表示器と電子ペーパー６Ａとで同じ種類の情報(楽譜や歌詞)を表示してもよいし、異なる種類の情報を表示してもよい。同じ種類の情報を表示する場合には、例えば電子ペーパー６Ａには１ページ分の情報を表示し、他の表示器にはそのうちの一部(例えば楽曲の進行位置近傍)のみを表示するなどしてよい。
なお、楽譜上のポインタ表示や歌詞のワイプ表示においても、表示書き替えに要する所定時間ごとに常に表示を更新すればよいがこれに限らず、前記所定時間よりも長い第２所定時間ごと(例えば４分音符間隔ごと：テンポ「１２０」時に５００ｍｓ、テンポ「２４０」時に２５０ｍｓなので、所定時間よりも長い時間である)に表示を更新するようにしてもよい。
【図面の簡単な説明】
【００３４】
【図１】この発明に係る音楽情報表示装置を適用した電子音楽装置の全体構成の一実施例を示したハード構成ブロック図である。
【図２】マイクロカプセル型電気泳動方式の電子ペーパーの構造を示す概要図である。
【図３】駆動開始タイミングと表示切り替えタイミングとの時間関係を示すタイミングチャートである。
【図４】初期設定処理の一実施例を示すフローチャートである。
【図５】曲再生にあわせて表示を切り替える処理の一実施例を示すフローチャートである。
【符号の説明】
【００３５】
１…ＣＰＵ、２…ＲＯＭ、３…ＲＡＭ、４…検出回路、４Ａ…演奏操作子／設定操作子、５…駆動回路、５Ａ…ＬＣＤ表示器、６…電子ペーパー駆動回路、６Ａ…電子ペーパー、７…音源回路、８…効果回路、９…サウンドシステム、１０…外部記憶装置、１１…MIDIインタフェース、１１Ａ…MIDI機器、１２…通信インタフェース、１２Ａ…サーバコンピュータ、Ｘ…通信ネットワーク、１Ｄ…通信バス（データ及びアドレスバス）、Ａ…透明電極、Ｂ…背面電極、Ｃ…マイクロカプセル（電子インク）、Ｄ…黒色微粒子、Ｅ…白色微粒子
【図１】
2006053228.tif 000003
【図２】
2006053228.tif 000004
【図３】
2006053228.tif 000005
【図４】
2006053228.tif 000006
【図５】
2006053228.tif 000007